(57)【要約】【課題】  高いＣＯＰを得ることが可能なケミカルヒートポンプを提供すること。【解決手段】  第１反応器と、第２反応器と、これらを接続する接続管と、第１反応器に設けられた第１熱交換器と、第２反応器に設けられた第２熱交換器とを備えたケミカルヒートポンプにおいて、第１反応器では下記の反応Ａまたは反応Ａ＊が起こり、第２反応器では下記の反応Ｂまたは反応Ｂ＊が起こるケミカルヒートポンプとする。反応Ａ ：Ｆｅ（ＯＨ）２→ＦｅＯ＋Ｈ２Ｏ、反応Ａ＊：ＦｅＯ＋Ｈ２Ｏ→Ｆｅ（ＯＨ）２、反応Ｂ ：ＣｕＯ＋Ｈ２Ｏ→Ｃｕ（ＯＨ）２、反応Ｂ＊：Ｃｕ（ＯＨ）２→ＣｕＯ＋Ｈ２Ｏ（但し、反応Ａは反応Ｂと対をなし、反応Ｂ＊は反応Ａ＊と対をなす。）【選択図】  図３
2005083656.tif 000002
【特許請求の範囲】
【請求項１】
第１反応器と、第２反応器と、これら各反応器を接続する接続管と、前記第１反応器に設けられ、系外の熱を系内へ吸収または系内の熱を系外へ放出可能な第１熱交換器と、前記第２反応器に設けられ、系外の熱を系内へ吸収または系内の熱を系外へ放出可能な第２熱交換器とを備えたケミカルヒートポンプにおいて、前記第１反応器では下記の反応Ａまたは反応Ａ＊が起こり、前記第２反応器では下記の反応Ｂまたは反応Ｂ＊が起こることを特徴とするケミカルヒートポンプ。
反応Ａ  ：Ｆｅ（ＯＨ）２→ＦｅＯ＋Ｈ２Ｏ
反応Ａ＊：ＦｅＯ＋Ｈ２Ｏ→Ｆｅ（ＯＨ）２
反応Ｂ  ：ＣｕＯ＋Ｈ２Ｏ→Ｃｕ（ＯＨ）２
反応Ｂ＊：Ｃｕ（ＯＨ）２→ＣｕＯ＋Ｈ２Ｏ
（但し、反応Ｂは反応Ａと対をなし、反応Ｂ＊は反応Ａ＊と対をなす。）
【請求項２】
第１反応器と、第２反応器と、これら各反応器を接続する接続管と、前記第１反応器に設けられ、系外の熱を系内へ吸収または系内の熱を系外へ放出可能な第１熱交換器と、前記第２反応器に設けられ、系外の熱を系内へ吸収または系内の熱を系外へ放出可能な第２熱交換器とを備えたケミカルヒートポンプにおいて、前記第１反応器では下記の反応Ａまたは反応Ａ＊が起こり、前記第２反応器では下記の反応Ｂまたは反応Ｂ＊が起こることを特徴とするケミカルヒートポンプ。
反応Ａ  ：Ｆｅ（ＯＨ）２→ＦｅＯ＋Ｈ２Ｏ
反応Ａ＊：ＦｅＯ＋Ｈ２Ｏ→Ｆｅ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【請求項３】
第１反応器と、第２反応器と、これら各反応器を接続する接続管と、前記第１反応器に設けられ、系外の熱を系内へ吸収または系内の熱を系外へ放出可能な第１熱交換器と、前記第２反応器に設けられ、系外の熱を系内へ吸収または系内の熱を系外へ放出可能な第２熱交換器とを備えたケミカルヒートポンプにおいて、前記第１反応器では下記の反応Ａまたは反応Ａ＊が起こり、前記第２反応器では下記の反応Ｂまたは反応Ｂ＊が起こることを特徴とするケミカルヒートポンプ。
反応Ａ  ：Ｃｏ（ＯＨ）２→ＣｏＯ＋Ｈ２Ｏ
反応Ａ＊：ＣｏＯ＋Ｈ２Ｏ→Ｃｏ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【請求項４】
第１反応器と、第２反応器と、これら各反応器を接続する接続管と、前記第１反応器に設けられ、系外の熱を系内へ吸収または系内の熱を系外へ放出可能な第１熱交換器と、前記第２反応器に設けられ、系外の熱を系内へ吸収または系内の熱を系外へ放出可能な第２熱交換器とを備えたケミカルヒートポンプにおいて、前記第１反応器では下記の反応Ａまたは反応Ａ＊が起こり、前記第２反応器では下記の反応Ｂまたは反応Ｂ＊が起こることを特徴とするケミカルヒートポンプ。
反応Ａ  ：Ｃｕ（ＯＨ）２→ＣｕＯ＋Ｈ２Ｏ
反応Ａ＊：ＣｕＯ＋Ｈ２Ｏ→Ｃｕ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【請求項５】
第１反応器と、第２反応器と、これら各反応器を接続する接続管と、前記第１反応器に設けられ、系外の熱を系内へ吸収または系内の熱を系外へ放出可能な第１熱交換器と、前記第２反応器に設けられ、系外の熱を系内へ吸収または系内の熱を系外へ放出可能な第２熱交換器とを備えたケミカルヒートポンプにおいて、前記第１反応器では下記の反応Ａまたは反応Ａ＊が起こり、前記第２反応器では下記の反応Ｂまたは反応Ｂ＊が起こることを特徴とするケミカルヒートポンプ。
反応Ａ  ：Ａｌ２Ｏ３・３Ｈ２Ｏ→Ａｌ２Ｏ３＋３Ｈ２Ｏ
反応Ａ＊：Ａｌ２Ｏ３＋３Ｈ２Ｏ→Ａｌ２Ｏ３・３Ｈ２Ｏ
反応Ｂ  ：ＣｕＯ＋Ｈ２Ｏ→Ｃｕ（ＯＨ）２
反応Ｂ＊：Ｃｕ（ＯＨ）２→ＣｕＯ＋Ｈ２Ｏ
（但し、反応Ｂは反応Ａと対をなし、反応Ｂ＊は反応Ａ＊と対をなす。）
【発明の詳細な説明】
【技術分野】
【０００１】
本発明は、ケミカルヒートポンプに関し、さらに詳しくは、無機化学反応系を用いたケミカルヒートポンプに関するものである。
【背景技術】
【０００２】
従来、ケミカルヒートポンプとしては、可逆化学反応を用いて熱エネルギーをいったん化学エネルギーに変換することにより蓄熱し、必要に応じて所定温度で再び化学エネルギーを熱エネルギーに変換して利用するものが知られている。
【０００３】
この種のケミカルヒートポンプの基本原理について簡単に説明する。例えば、
ＭＸ（ｓ）＝Ｍ（ｓ）＋Ｘ（ｇ）−Ｑ［ｋＪ／ｍｏｌ］
という可逆化学反応を考える。この反応では、ＭＸ（ｓ）を加熱すると吸熱熱分解反応が起こり、Ｍ（ｓ）とＸ（ｇ）が生成する。一方、生成したＭ（ｓ）とＸ（ｇ）を再度逆反応により反応させると、発熱反応が起こりＭＸ（ｓ）が生成する。このような可逆化学反応における吸熱・発熱反応を利用し、蓄熱・放熱反応を行うのがケミカルヒートポンプの基本原理である。
【０００４】
この際、一定圧力下で反応を行うと、吸熱・発熱反応時の温度は一定であるが、反応圧力Ｐと反応温度Ｔとの間には、一般に、ΔＧ＝ΔＨ−ＴΔＳ＝ｎＲＴｌｎＰ（ここで、ΔＧ：標準自由エネルギー変化、ΔＨ：標準生成エンタルピ、ΔＳ：標準生成エントロピ、ｎ：水またはＣＯ２の化学量論係数、Ｒ：気体定数）の関係があることから、両者の間には直線関係が成立する。そのため、上記ケミカルヒートポンプは、圧力・温度依存性を利用して吸熱・発熱反応時の圧力を制御することにより、ほぼ任意の温度レベルの熱を取り出すことができるという利点を有している。
【０００５】
ここで、用いられる反応系としては、無機化学反応系と有機化学反応系とに大別されるが、このうち無機化学反応系は、無触媒で反応が進行するという利点を有している。無機化学反応系のケミカルヒートポンプとしては、例えば、Ｃａ（ＯＨ）２の脱水反応とＣａＯの水和反応との可逆化学反応を用いたＣａ（ＯＨ）２／ＣａＯ系ケミカルヒートポンプが知られている（特許文献１参照）。
【０００６】
また他にも、Ｍｇ（ＯＨ）２の脱水反応とＭｇＯの水和反応との可逆化学反応を用いたＭｇ（ＯＨ）２／ＭｇＯ系ケミカルヒートポンプが知られている（特許文献２）。
【０００７】
【特許文献１】特開平１０−８９７９９号公報
【特許文献２】特開平９−２６２２５号公報
【発明の開示】
【発明が解決しようとする課題】
【０００８】
上述したケミカルヒートポンプは、可逆化学反応の選択によって、作動温度域、昇温幅などのヒートポンプの特性が決定されてしまうことから、その選択は極めて重要である。中でも、成績係数（cofficient of performance、以下「ＣＯＰ」という）は、ヒートポンプの効率を表す係数であり、その値は高いほど望ましい。
【０００９】
しかしながら、従来知られるケミカルヒートポンプは、ＣＯＰが低いという問題があった。
【００１０】
そこで、本発明が解決しようとする課題は、特定の可逆化学反応を組み合わせることにより、高いＣＯＰを有するケミカルヒートポンプを提供することにある。
【課題を解決するための手段】
【００１１】
上記課題を解決するため、本発明者らは、種々の可逆化学反応の組み合わせについて探索した結果、以下の特定の可逆化学反応を組み合わせることにより高いＣＯＰを有するケミカルヒートポンプを見出すに至った。
【００１２】
すなわち、本発明に係るケミカルヒートポンプは、第１反応器と、第２反応器と、これら各反応器を接続する接続管と、第１反応器に設けられ、系外の熱を系内へ吸収または系内の熱を系外へ放出可能な第１熱交換器と、第２反応器に設けられ、系外の熱を系内へ吸収または系内の熱を系外へ放出可能な第２熱交換器とを備え、第１反応器では下記の反応Ａまたは反応Ａ＊が起こり、第２反応器では下記の反応Ｂまたは反応Ｂ＊が起こることを要旨とする。
反応Ａ  ：Ｆｅ（ＯＨ）２→ＦｅＯ＋Ｈ２Ｏ
反応Ａ＊：ＦｅＯ＋Ｈ２Ｏ→Ｆｅ（ＯＨ）２
反応Ｂ  ：ＣｕＯ＋Ｈ２Ｏ→Ｃｕ（ＯＨ）２
反応Ｂ＊：Ｃｕ（ＯＨ）２→ＣｕＯ＋Ｈ２Ｏ
（但し、反応Ｂは反応Ａと対をなし、反応Ｂ＊は反応Ａ＊と対をなす。）
【００１３】
あるいは、第１反応器では下記の反応Ａまたは反応Ａ＊が起こり、第２反応器では下記の反応Ｂまたは反応Ｂ＊が起こることを要旨とする。
反応Ａ  ：Ｆｅ（ＯＨ）２→ＦｅＯ＋Ｈ２Ｏ
反応Ａ＊：ＦｅＯ＋Ｈ２Ｏ→Ｆｅ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【００１４】
あるいは、第１反応器では下記の反応Ａまたは反応Ａ＊が起こり、第２反応器では下記の反応Ｂまたは反応Ｂ＊が起こることを要旨とする。
反応Ａ  ：Ｃｏ（ＯＨ）２→ＣｏＯ＋Ｈ２Ｏ
反応Ａ＊：ＣｏＯ＋Ｈ２Ｏ→Ｃｏ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【００１５】
あるいは、第１反応器では下記の反応Ａまたは反応Ａ＊が起こり、第２反応器では下記の反応Ｂまたは反応Ｂ＊が起こることを要旨とする。
反応Ａ  ：Ｃｕ（ＯＨ）２→ＣｕＯ＋Ｈ２Ｏ
反応Ａ＊：ＣｕＯ＋Ｈ２Ｏ→Ｃｕ（ＯＨ）２
反応Ｂ  ：Ｓｎ（ＳＯ４）２＋２Ｈ２Ｏ→ＳｎＯ２＋２Ｈ２ＳＯ４
反応Ｂ＊：ＳｎＯ２＋２Ｈ２ＳＯ４→Ｓｎ（ＳＯ４）２＋２Ｈ２Ｏ
（但し、反応Ｂは反応Ａと対をなし、反応Ｂ＊は反応Ａ＊と対をなす。）
【００１６】
あるいは、第１反応器では下記の反応Ａまたは反応Ａ＊が起こり、第２反応器では下記の反応Ｂまたは反応Ｂ＊が起こることを要旨とする。
反応Ａ  ：Ａｌ２Ｏ３・３Ｈ２Ｏ→Ａｌ２Ｏ３＋３Ｈ２Ｏ
反応Ａ＊：Ａｌ２Ｏ３＋３Ｈ２Ｏ→Ａｌ２Ｏ３・３Ｈ２Ｏ
反応Ｂ  ：ＣｕＯ＋Ｈ２Ｏ→Ｃｕ（ＯＨ）２
反応Ｂ＊：Ｃｕ（ＯＨ）２→ＣｕＯ＋Ｈ２Ｏ
（但し、反応Ｂは反応Ａと対をなし、反応Ｂ＊は反応Ａ＊と対をなす。）
【発明の効果】
【００１７】
本発明に係るケミカルヒートポンプでは、第１反応器および第２反応器で起こる可逆化学反応を、上記特定の可逆化学反応の新規な組み合わせとしているので、理論ＣＯＰが全て１以上（冷熱利用時）と高いＣＯＰを有する。そのため、本発明に係るケミカルヒートポンプは、従来知られるケミカルヒートポンプに比較して、高い熱効率を有する。
【００１８】
したがって、これらの本発明に係るケミカルヒートポンプを、例えば、コージェネレーションシステムの排熱利用、都市ガス空調などの分野において、燃焼排ガスや蒸気、温水などに対して適用すれば、システム全体の総合エネルギー効率を上げることができるという利点を有する。
【発明を実施するための最良の形態】
【００１９】
以下に、本実施形態に係るケミカルヒートポンプについて詳細に説明する。図１は、本実施形態に係るケミカルヒートポンプの構成を示した模式図である。
【００２０】
ケミカルヒートポンプ１０は、第１反応器１１と、第２反応器１２と、これら各反応器１１、１２を接続する接続管１３と、第１反応器１１に設けられ、系外の熱を系内へ吸収または系内の熱を系外へ放出可能な第１熱交換器１４と、第２反応器１２に設けられ、系外の熱を系内へ吸収または系内の熱を系外へ放出可能な第２熱交換器１５とを備えた密閉系とされている。
【００２１】
ここで、第１反応器１１においては反応Ａまたは反応Ａ＊が起こり、第２反応器１２においては反応Ｂまたは反応Ｂ＊が起こるが、本発明では、第１反応器１１および第２反応器１２で起こる反応を、表１に示すような、特定の可逆化学反応の組み合わせとした点に特徴を有する。
【００２２】
【表１】
2005083656.tif 000003
【００２３】
すなわち、本発明においては、この表１に示したケミカルヒートポンプ動作媒体を用いることにより、理論ＣＯＰ（冷熱利用時）が１以上と高いＣＯＰを有するケミカルヒートポンプを得ることができる。この際、理論ＣＯＰ（冷熱利用時）とは、次式で求められるものをいう。
理論ＣＯＰ＝（反応Ａの反応熱）÷（反応Ｂ＊の反応熱）
また、理論ＣＯＰ（冷熱利用時）が高いヒートポンプは、温熱利用時の効率も高い。
【００２４】
なお、反応Ａまたは反応Ａ＊、あるいは、反応Ｂまたは反応Ｂ＊を単独で使用したり、他の反応と組み合わせて使用した場合には、高いＣＯＰが得られなくなる傾向があるので好ましくない。
【００２５】
また、第１反応器および第２反応器において、上記特定の可逆化学反応を起こさせるにあたり、組み合わせ１では、化学反応物質として、第１反応器内にＦｅＯとカーボンなどの添加物を充填し、第２反応器内にＣｕ（ＯＨ）２とカーボンなどの添加物を充填するか、あるいは、第１反応器内にＦｅ（ＯＨ）２とカーボンなどの添加物を充填し、第２反応器内にＣｕＯとカーボンなどの添加物を充填しておけば良い。
【００２６】
同様に、組み合わせ２では、第１反応器内にＦｅＯとカーボンなどの添加物を充填し、第２反応器内にＳｎＯ２、Ｈ２ＳＯ４とカーボンなどの添加物を充填するか、あるいは、第１反応器内にＦｅ（ＯＨ）２とカーボンなどの添加物を充填し、第２反応器内にＳｎ（ＳＯ４）２とカーボンなどの添加物を充填しておけば良い。
【００２７】
同様に、組み合わせ３では、第１反応器内にＣｏＯとカーボンなどの添加物を充填し、第２反応器内にＳｎＯ２、Ｈ２ＳＯ４とカーボンなどの添加物を充填するか、あるいは、第１反応器内にＣｏ（ＯＨ）２とカーボンなどの添加物を充填し、第２反応器内にＳｎ（ＳＯ４）２とカーボンなどの添加物を充填しておけば良い。
【００２８】
同様に、組み合わせ４では、第１反応器内にＣｕＯとカーボンなどの添加物を充填し、第２反応器内にＳｎＯ２、Ｈ２ＳＯ４とカーボンなどの添加物を充填するか、あるいは、第１反応器内にＣｕ（ＯＨ）２とカーボンなどの添加物を充填し、第２反応器内にＳｎ（ＳＯ４）２とカーボンなどの添加物を充填しておけば良い。
【００２９】
同様に、組み合わせ５では、第１反応器内にＡｌ２Ｏ３とカーボンなどの添加物を充填し、第２反応器内にＣｕ（ＯＨ）２とカーボンなどの添加物を充填するか、あるいは、第１反応器内にＡｌ２Ｏ３・３Ｈ２Ｏとカーボンなどの添加物を充填し、第２反応器内にＣｕＯとカーボンなどの添加物を充填しておけば良い。
【００３０】
次に、上記ケミカルヒートポンプを用いた冷熱・温熱利用について説明する。図２は、本実施形態に係るケミカルヒートポンプにおける反応温度と反応圧力の関係を示したＰ−Ｔ線図であり、図３（ａ）、（ｂ）は、本実施形態に係るケミカルヒートポンプの動作を説明するための図である。
【００３１】
図２および図３（ｂ）に示すように、最大温度を持つ高温熱源からの熱を第２熱交換器１５を介して第２反応器１２に加えると、第２反応器１２内において反応Ｂ＊（吸熱反応）が起こり、水蒸気（Ｈ２Ｏ）が生じる。生じた水蒸気（Ｈ２Ｏ）は、圧力差が存在すれば接続管１３内を通って第１反応器１１に移動する。そのため、第１反応器１１の圧力と第２反応器１２の圧力は同じになる。第１反応器１１に至った水蒸気（Ｈ２Ｏ）は、第１反応器１１内において反応Ａ＊（発熱反応）を起こす。第１反応器１１は、第１熱交換器１４により冷却され、熱交換器性能により定まる温度となる。反応器内の圧力（第１反応器１１の圧力と第２反応器１２の圧力は等しい）は、第１反応器１１の温度における反応Ａ＊の平衡圧力となる。第１熱交換器１４を介して系外に取り出された熱は、冷熱利用時であれば、不要な熱として捨てられ、温熱利用時であれば、温熱として利用される。
【００３２】
反応Ｂ＊（吸熱反応）が終了した後、図３（ａ）に示すように、第２反応器１２を第２熱交換器１５により冷却する。第２熱交換器１５による冷却により、第２反応器１２の内部では、反応Ｂ＊の逆反応である反応Ｂ（発熱反応）が起こる。第２反応器１２の温度は熱交換器性能により定まる温度となる。第２反応器１２内の水蒸気（Ｈ２Ｏ）を吸収する反応により、第２反応器１２内の圧力は低下し、第２反応器１２の温度と平衡な圧力となる。第１反応器１１内の水蒸気（Ｈ２Ｏ）は、圧力差が存在すれば、接続管１３内を通って第２反応器１２に移動するので、第１反応器１１の圧力と第２反応器１２の圧力は同じになる。圧力が低下した第１反応器１１では、反応Ａ＊の逆反応である反応Ａ（吸熱反応）が起こり、第１熱交換器１４により系外から熱を吸収する。冷熱利用時には、第１熱交換器１４により系外から吸収される熱は冷熱として利用され、第２熱交換器１５により系外に放出される熱は不要な熱として捨てられる。温熱利用時には、第２熱交換器１５により系外に放出される熱は、温熱として利用される。
【００３３】
これ以外にも、本実施形態に係るケミカルヒートポンプは、いわゆる増熱モードで利用することもできる。すなわち、反応Ａ＊、Ｂ、Ａの反応温度が所望温度より高い場合、第２熱交換器を介して第２反応器に熱を投入すれば、反応Ａ＊、Ｂで生じた熱は、全て温熱として利用することができる。
【実施例】
【００３４】
以下に実施例を挙げて具体的に説明する。表２に示す化学反応式の全ての組み合わせについてコンピュータを用いて探索することにより、ケミカルヒートポンプとして成立する組み合わせおよび各組み合わせにおけるＣＯＰを計算により求めた。その結果を表３〜６に示す。
【００３５】
【表２】
2005083656.tif 000004
【００３６】
【表３】
2005083656.tif 000005
【００３７】
【表４】
2005083656.tif 000006
【００３８】
【表５】
2005083656.tif 000007
【００３９】
【表６】
2005083656.tif 000008
【００４０】
表３〜６によれば、本発明に係る表１の可逆化学反応の組み合わせ（表３〜６中、ＣＯＰの下に黒星印を付したもの）については、ＣＯＰが全て１以上を示しているが、他の可逆化学反応の組み合わせについては、ＣＯＰが１よりも小さいという結果となった。
【００４１】
これより、本発明に係る表１の可逆化学反応の組み合わせからなるケミカルヒートポンプ動作媒体を用いれば、従来知られるケミカルヒートポンプに比較して、高い熱効率を有するケミカルヒートポンプが得られることが分かる。
【図面の簡単な説明】
【００４２】
【図１】本実施形態に係るケミカルヒートポンプの構成を示した模式図である。
【図２】本実施形態に係るケミカルヒートポンプにおける反応温度と反応圧力の関係を示したＰ−Ｔ線図である。
【図３】本実施形態に係るケミカルヒートポンプの動作を説明するための図である。
【符号の説明】
【００４３】
１０  ケミカルヒートポンプ
１１  第１反応器
１２  第２反応器
１３  接続管
１４  第１熱交換器
１５  第２熱交換器
【図１】
2005083656.tif 000009
【図２】
2005083656.tif 000010
【図３】
2005083656.tif 000011